【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
モバイルデバイス内の水晶発振器、ＸＯを温度較正する方法であって、
前記ＸＯの温度較正ステータスを決定することと、
前記ＸＯの温度較正に関連したトリガ条件を検出することと、
前記ＸＯの前記温度較正ステータスが十分に温度較正されていない場合、温度較正セッションを開始することと
を備え、前記温度較正セッションは、
前記トリガ条件に応じて複数の較正信号を受信することと、
前記受信された較正信号に基づいてバックグラウンドモードで前記ＸＯを温度較正することと
を備える、方法。
【請求項２】
前記受信された信号は、全地球的航法衛星システム、ＧＮＳＳ信号、較正された地上ソースからの信号、または静止ソースからの信号のうちの１つ以上を備える、請求項１に記載の方法。
【請求項３】
前記トリガ条件は、前記モバイルデバイスの初めての使用を備え、前記初めての使用は、前記モバイルデバイスに電源投入することに関連付けられる、請求項１に記載の方法。
【請求項４】
前記トリガ条件は、前記モバイルデバイス上の位置ベースアプリケーションまたは全地球的航法衛星システム、ＧＮＳＳベースアプリケーションの差し迫った起動に関連する、請求項１に記載の方法。
【請求項５】
前記トリガ条件は、前記モバイルデバイスを充電することを備える、または前記モバイルデバイスが屋外ロケーションにあることを検出することを備える、請求項１に記載の方法。
【請求項６】
前記モバイルデバイスが屋外ロケーションにあることを検出することは、少なくとも１つの強い受信された信号を検出することを備える、または前記モバイルデバイスがあらかじめ指定された速度に到達したことまたは超えたことを検出することを備える、請求項５に記載の方法。
【請求項７】
前記あらかじめ指定された速度を検出することは、前記受信された信号のドップラ測定値に基づく、または前記モバイルデバイスに関連付けられたスピードセンサから、前記モバイルデバイスの速度を測定することに基づく、請求項６に記載の方法。
【請求項８】
前記モバイルデバイスが屋外ロケーションにあることを検出することは、前記モバイルデバイスに入射する強い太陽光線を検出することを備える、請求項５に記載の方法。
【請求項９】
前記モバイルデバイスが屋外ロケーションにあることを検出することは、日中または夜のあらかじめ設定された時間を検出することを備える、請求項５に記載の方法。
【請求項１０】
前記モバイルデバイスが屋外ロケーションにあることを検出することは、前記モバイルデバイスが屋外ロケーションにあることを示すユーザ入力を受信することを備える、請求項５に記載の方法。
【請求項１１】
前記トリガ条件は、前記モバイルデバイスの動作温度の変動を備える、請求項１に記載の方法。
【請求項１２】
完了に応じて前記ＸＯの前記温度較正ステータスを更新することと、第２のトリガ条件を検出することと、前記更新された温度較正ステータスに基づいて前記第２のトリガ条件を抑制することとをさらに備える、請求項１に記載の方法。
【請求項１３】
前記ＸＯを温度較正することに関連付けられた第１の時間を記録することと、第２のトリガ条件を検出することと、前記第１の時間からあらかじめ設定された時間が経過している場合、第２の温度較正セッションを開始することとをさらに備える、請求項１に記載の方法。
【請求項１４】
ワイヤレス通信システムであって、
水晶発振器、ＸＯと、
信号を受信するための手段と、
前記ＸＯの温度較正ステータスを決定するための手段と、
前記ＸＯの温度較正に関連したトリガ条件を検出するための手段と、
前記ＸＯの前記温度較正ステータスが十分に温度較正されていない場合、温度較正セッションを開始するための手段と
を備え、前記温度較正セッションは、
前記トリガ条件に応じて複数の較正信号を受信することと、
前記受信された較正信号に基づいてバックグラウンドモードで前記ＸＯを温度較正することと
を備える、ワイヤレス通信システム。
【請求項１５】
プロセッサによって実行されると、前記プロセッサに、モバイルデバイス内の水晶発振器、ＸＯを温度較正するための動作を実行させるコードを備えた非一時的コンピュータ可読記憶媒体であって、前記非一時的コンピュータ可読記憶媒体は、
前記ＸＯの温度較正ステータスを決定するためのコードと、
前記ＸＯの温度較正に関連したトリガ条件を検出するためのコードと、
前記ＸＯの前記温度較正ステータスが十分に温度較正されていない場合、温度較正セッションを開始するためのコードと
を備え、前記温度較正セッションは、
前記トリガ条件に応じて複数の較正信号を受信することと、
前記受信された較正信号に基づいてバックグラウンドモードで前記ＸＯを温度較正することと
を備える、非一時的コンピュータ可読記憶媒体。
【手続補正２】
【補正対象書類名】明細書
【補正対象項目名】００４８
【補正方法】変更
【補正の内容】
【００４８】
[0050]  前述の開示されたデバイスおよび方法は、典型的に、コンピュータ可読媒体上に記憶されている、ＧＤＳＩＩおよびＧＥＲＢＥＲコンピュータファイルへと設計および構成されうる。これらのファイルは、これらのファイルに基づいてデバイスを製造する製造ハンドラに順々に提供される。結果として得られる製品は、その後、半導体ダイに切り分けられ、半導体チップにパッケージ化される半導体ウエハである。その後、これらのチップは、上述されたデバイス内で採用される。
以下に、本願出願の当初の特許請求の範囲に記載された発明を付記する。
［Ｃ１］
モバイルデバイス内の水晶発振器（ＸＯ）を温度較正する方法であって、
前記ＸＯの温度較正ステータスを決定することと、
前記ＸＯの温度較正に関連したトリガ条件を検出することと、
前記ＸＯの前記温度較正ステータスが十分に温度較正されていない場合、温度較正セッションを開始することと
を備え、前記温度較正セッションは、
前記トリガ条件に基づいて１つ以上の信号を受信することと、
前記受信された信号に基づいてバックグラウンドモードで前記ＸＯを温度較正することと
を備える、方法。
［Ｃ２］
前記受信された信号は、全地球的航法衛星システム（ＧＮＳＳ）信号、較正された地上ソースからの信号、または静止ソースからの信号のうちの１つ以上を備える、Ｃ１に記載の方法。
［Ｃ３］
前記トリガ条件は、前記モバイルデバイスの初めての使用を備え、前記初めての使用は、前記モバイルデバイスに電源投入することに関連付けられる、Ｃ１に記載の方法。
［Ｃ４］
前記トリガ条件は、前記モバイルデバイス上の位置ベースアプリケーションまたは全地球的航法衛星システム（ＧＮＳＳ）ベースアプリケーションの差し迫った起動に関連する、Ｃ１に記載の方法。
［Ｃ５］
前記トリガ条件は、前記モバイルデバイスを充電することを備える、Ｃ１に記載の方法。
［Ｃ６］
前記トリガ条件は、前記モバイルデバイスが屋外ロケーションにあることを検出することを備える、Ｃ１に記載の方法。
［Ｃ７］
前記モバイルデバイスが屋外ロケーションにあることを検出することは、少なくとも１つの強い受信された信号を検出することを備える、Ｃ６に記載の方法。
［Ｃ８］
前記モバイルデバイスが屋外ロケーションにあることを検出することは、前記モバイルデバイスがあらかじめ指定された速度に到達したことまたは超えたことを検出することを備える、Ｃ６に記載の方法。
［Ｃ９］
前記あらかじめ指定された速度を検出することは、前記受信された信号のドップラ測定値に基づく、Ｃ８に記載の方法。
［Ｃ１０］
前記あらかじめ指定された速度を検出することは、前記モバイルデバイスに関連付けられたスピードセンサから、前記モバイルデバイスの速度を測定することに基づく、Ｃ８に記載の方法。
［Ｃ１１］
前記モバイルデバイスが屋外ロケーションにあることを検出することは、前記モバイルデバイスに入射する強い太陽光線を検出することを備える、Ｃ６に記載の方法。
［Ｃ１２］
前記モバイルデバイスが屋外ロケーションにあることを検出することは、日中または夜のあらかじめ設定された時間を検出することを備える、Ｃ６に記載の方法。
［Ｃ１３］
前記モバイルデバイスが屋外ロケーションにあることを検出することは、前記モバイルデバイスが屋外ロケーションにあることを示すユーザ入力を受信することを備える、Ｃ６に記載の方法。
［Ｃ１４］
前記トリガ条件は、前記モバイルデバイスの動作温度の変動を備える、Ｃ１に記載の方法。
［Ｃ１５］
完了に応じて前記ＸＯの前記温度較正ステータスを更新することと、第２のトリガ条件を検出することと、前記更新された温度較正ステータスに基づいて前記第２のトリガ条件を抑制することとをさらに備える、Ｃ１に記載の方法。
［Ｃ１６］
前記ＸＯを温度較正することに関連付けられた第１の時間を記録することと、第２のトリガ条件を検出することと、前記第１の時間からあらかじめ設定された時間が経過している場合、第２の温度較正セッションを開始することとをさらに備える、Ｃ１に記載の方法。
［Ｃ１７］
モバイルデバイスであって、
水晶発振器（ＸＯ）と、
受信機と、
プロセッサと
を備え、前記プロセッサは、
前記ＸＯの温度較正ステータスを決定し、
前記ＸＯの温度較正に関連したトリガ条件を検出し、
前記ＸＯの前記温度較正ステータスが十分に温度較正されていない場合、温度較正セッションを開始する
ように構成され、前記温度較正セッションは、
前記受信機が、前記トリガ条件に基づいて信号を受信することを可能にすることと、
前記受信された信号に基づいてバックグラウンドモードで前記ＸＯを温度較正することと
を備える、モバイルデバイス。
［Ｃ１８］
前記受信された信号は、全地球的航法衛星システム（ＧＮＳＳ）信号、較正された地上ソースからの信号、または静止ソースからの信号のうちの１つ以上を備える、Ｃ１７に記載のモバイルデバイス。
［Ｃ１９］
前記トリガ条件は、前記モバイルデバイスの初めての使用を備え、前記初めての使用は、前記モバイルデバイスに電源投入することに基づく、Ｃ１７に記載のモバイルデバイス。
［Ｃ２０］
前記トリガ条件は、前記モバイルデバイス上の位置ベースアプリケーションまたは全地球的航法衛星システム（ＧＮＳＳ）ベースアプリケーションの差し迫った起動を備える、Ｃ１７に記載のモバイルデバイス。
［Ｃ２１］
前記トリガ条件は、前記モバイルデバイスに結合された電源を通して前記モバイルデバイスを充電することを備える、Ｃ１７に記載のモバイルデバイス。
［Ｃ２２］
前記トリガ条件は、前記モバイルデバイスが屋外ロケーションにあることを備える、Ｃ１７に記載のモバイルデバイス。
［Ｃ２３］
前記プロセッサは、前記モバイルデバイスが屋外ロケーションにあることを検出するために、少なくとも１つの強い受信された信号を検出するように構成される、Ｃ２２に記載のモバイルデバイス。
［Ｃ２４］
スピードセンサをさらに備え、前記プロセッサは、前記モバイルデバイスが屋外ロケーションにあることを検出するために、前記スピードセンサから取得された情報を使用して、前記モバイルデバイスがあらかじめ指定された速度に到達したことまたは超えたことを検出するように構成される、Ｃ２２に記載のモバイルデバイス。
［Ｃ２５］
前記プロセッサは、前記モバイルデバイスが屋外ロケーションにあることを検出するために、前記受信された信号のドップラ値を測定し、測定されたドップラ値に基づいて、前記モバイルデバイスのあらかじめ指定された速度を検出するように構成される、Ｃ２２に記載のモバイルデバイス。
［Ｃ２６］
光センサをさらに備え、前記プロセッサは、前記モバイルデバイスが屋外ロケーションにあることを検出するために、前記光センサからの入力に基づいて、前記モバイルデバイスに入射する強い太陽光線を検出するように構成される、Ｃ２２に記載のモバイルデバイス。
［Ｃ２７］
クロックをさらに備え、前記プロセッサは、前記モバイルデバイスが屋外ロケーションにあることを検出するために、前記クロックからの入力に基づいて、日中または夜のあらかじめ設定された時間を検出するように構成される、Ｃ２２に記載のモバイルデバイス。
［Ｃ２８］
入力デバイスをさらに備え、前記プロセッサは、前記モバイルデバイスが屋外ロケーションにあることを検出するために、前記入力デバイスからの入力に基づいて、前記モバイルデバイスが屋外ロケーションにあることに関連したユーザ入力を検出するように構成される、Ｃ２２に記載のモバイルデバイス。
［Ｃ２９］
前記トリガ条件は、前記モバイルデバイスの動作温度の変動を備え、前記モバイルデバイスは温度センサをさらに備え、前記プロセッサは、前記温度センサからの入力に基づいて、前記モバイルデバイスの前記動作温度の変動を検出するように構成される、Ｃ１７に記載のモバイルデバイス。
［Ｃ３０］
前記ＸＯの前記温度較正ステータスを記憶するように構成されたステータスレジスタをさらに備え、前記プロセッサは、前記ステータスレジスタ内の前記ＸＯの前記温度較正ステータスを温度較正されたものとして更新し、第２のトリガ条件を検出し、前記ステータスレジスタに記憶されている前記更新された温度較正ステータスに基づいて前記第２のトリガ条件を抑制するようにさらに構成される、Ｃ１７に記載のモバイルデバイス。
［Ｃ３１］
前記ＸＯを温度較正することに関連付けられた第１の時間を記憶するように構成されたメモリをさらに備え、前記プロセッサは、第２のトリガ条件の検出に応じて、前記メモリから前記第１の時間を読み取り、前記第１の時間からあらかじめ設定された時間が経過している場合、第２の温度較正セッションを開始するようにさらに構成される、Ｃ１７に記載のモバイルデバイス。
［Ｃ３２］
少なくとも１つの半導体ダイに一体化される、Ｃ１７に記載のモバイルデバイス。
［Ｃ３３］
デバイスに一体化され、セットトップボックス、ミュージックプレーヤ、ビデオプレーヤ、エンターテイメントユニット、ナビゲーションデバイス、通信デバイス、携帯情報端末（ＰＤＡ）、固定ロケーションデータユニット、およびコンピュータから成るグループから選択される、Ｃ１７に記載のモバイルデバイス。
［Ｃ３４］
ワイヤレス通信システムであって、
水晶発振器（ＸＯ）と、
信号を受信するための手段と、
前記ＸＯの温度較正ステータスを決定するための手段と、
前記ＸＯの温度較正に関連したトリガ条件を検出するための手段と、
前記ＸＯの前記温度較正ステータスが十分に温度較正されていない場合、温度較正セッションを開始するための手段と
を備え、前記温度較正セッションは、
前記トリガ条件に基づいて１つ以上の信号を受信することと、
前記受信された信号に基づいてバックグラウンドモードで前記ＸＯを温度較正することと
を備える、ワイヤレス通信システム。
［Ｃ３５］
前記受信された信号は、全地球的航法衛星システム（ＧＮＳＳ）信号、較正された地上ソースからの信号、または静止ソースからの信号のうちの１つ以上を備える、Ｃ３４に記載のワイヤレス通信システム。
［Ｃ３６］
前記トリガ条件は、前記ワイヤレス通信システムの初めての使用を備える、Ｃ３４に記載のワイヤレス通信システム。
［Ｃ３７］
前記トリガ条件は、モバイルデバイス上の位置ベースアプリケーションまたは全地球的航法衛星システム（ＧＮＳＳ）ベースアプリケーションの差し迫った起動を備える、Ｃ３４に記載のワイヤレス通信システム。
［Ｃ３８］
前記トリガ条件は、前記ワイヤレス通信システムが屋外ロケーションにあることを備える、Ｃ３４に記載のワイヤレス通信システム。
［Ｃ３９］
前記トリガ条件は、前記ワイヤレス通信システムの動作温度の変動を備える、Ｃ３４に記載のワイヤレス通信システム。
［Ｃ４０］
前記ＸＯの前記温度較正ステータスを記憶するための手段と、前記記憶された温度較正ステータスに基づいて第２のトリガ条件を抑制するための手段とをさらに備える、Ｃ３４に記載のワイヤレス通信システム。
［Ｃ４１］
前記ＸＯを温度較正することに関連付けられた第１の時間を記録するための手段と、第２のトリガ条件を検出するための手段と、前記第１の時間からあらかじめ設定された時間が経過している場合、第２の温度較正セッションを開始するための手段とをさらに備える、Ｃ３４に記載のワイヤレス通信システム。
［Ｃ４２］
プロセッサによって実行されると、前記プロセッサに、モバイルデバイス内の水晶発振器（ＸＯ）を温度較正するための動作を実行させるコードを備えた非一時的コンピュータ可読記憶媒体であって、前記非一時的コンピュータ可読記憶媒体は、
前記ＸＯの温度較正ステータスを決定するためのコードと、
前記ＸＯの温度較正に関連したトリガ条件を検出するためのコードと、
前記ＸＯの前記温度較正ステータスが十分に温度較正されていない場合、温度較正セッションを開始するためのコードと
を備え、前記温度較正セッションは、
前記トリガ条件に基づいて１つ以上の信号を受信することと、
前記受信された信号に基づいてバックグラウンドモードで前記ＸＯを温度較正することと
を備える、非一時的コンピュータ可読記憶媒体。
［Ｃ４３］
前記受信された信号は、全地球的航法衛星システム（ＧＮＳＳ）信号、較正された地上ソースからの信号、または静止ソースからの信号のうちの１つ以上を備える、Ｃ４２に記載の非一時的コンピュータ可読記憶媒体。
［Ｃ４４］
前記トリガ条件は、前記ワイヤレス通信システムの初めての使用を備える、Ｃ４２に記載の非一時的コンピュータ可読記憶媒体。
［Ｃ４５］
前記トリガ条件は、モバイルデバイス上の位置ベースアプリケーションまたは全地球的航法衛星システム（ＧＮＳＳ）ベースアプリケーションの差し迫った起動を備える、Ｃ４２に記載の非一時的コンピュータ可読記憶媒体。
［Ｃ４６］
前記トリガ条件は、前記ワイヤレス通信システムが屋外ロケーションにあることを備える、Ｃ４２に記載の非一時的コンピュータ可読記憶媒体。
［Ｃ４７］
前記トリガ条件は、前記ワイヤレス通信システムの動作温度の変動を備える、Ｃ４２に記載の非一時的コンピュータ可読記憶媒体。
［Ｃ４８］
前記ＸＯの前記温度較正ステータスを記憶するためのコードと、前記記憶された温度較正ステータスに基づいて第２のトリガ条件を抑制するためのコードとをさらに備える、Ｃ４２に記載の非一時的コンピュータ可読記憶媒体。
［Ｃ４９］
前記ＸＯを温度較正することに関連付けられた第１の時間を記録するためのコードと、第２のトリガ条件を検出するためのコードと、前記第１の時間からあらかじめ設定された時間が経過している場合、第２の温度較正セッションを開始するためのコードとをさらに備える、Ｃ４２に記載の非一時的コンピュータ可読記憶媒体。